(57)【要約】【課題】  安全、かつ、簡単に高真空状態を解除することができるブラウン管を提供することを目的とする。【解決手段】  画像を表示する前面パネル２と、この前面パネル２の後ろに形成されたコーン状のファンネル３と、このファンネル３の終端部に連接して形成され、内部に電子銃４１が納められたネック部４とを備え、内部１１を高真空状態に維持してなるブラウン管１において、ファンネル３は、その一部に外部に突出し、高真空状態を解除する際に切断される突起部５を設けている。【選択図】図２
2008270068.tif 000002
【特許請求の範囲】
【請求項１】
画像を表示する前面パネルと、この前面パネルの後ろに形成されたコーン状のファンネルと、このファンネルの終端部に連接して形成され、内部に電子銃が納められたネック部とを備え、内部を高真空状態に維持してなるブラウン管において、
前記ファンネルは、その一部に外部に突出し、前記高真空状態を解除する際に切断される突起部を更に備えていることを特徴とするブラウン管。
【請求項２】
画像を表示する前面パネルと、この前面パネルの後ろに形成されたコーン状のファンネルと、このファンネルの終端部に連接して形成され、内部に電子銃が納められたネック部とを備え、内部を高真空状態に維持してなるブラウン管において、
前記ファンネルは、その一部に外部に突出する突起部を更に備え、当該突起部は、前記高真空状態を解除する際に切断され、この切断により大気と連通する小孔が形成されるように構成したことを特徴とするブラウン管。
【請求項３】
前記突起部には、前記切断時の目印となるくびれ状の小径部分が形成されていることを特徴とする請求項１または請求項２に記載のブラウン管。
【請求項４】
前記突起部は、その内側に空隙を更に有し、当該空隙は、前記高真空状態に維持された内部に連通するように形成されていることを特徴とする請求項１乃至請求項３のいずれかに記載のブラウン管。
【請求項５】
前記ファンネルの前記突起部の近傍には、表示部を更に備え、当該表示部には、前記高真空状態を解除する際に前記突起部を切断する旨、表示したことを特徴とする請求項１または請求項２に記載のブラウン管。
【発明の詳細な説明】
【技術分野】
【０００１】
本発明は、例えば、テレビジョンや、ディスプレ装置などの表示装置として用いられる内部が高真空状態に維持されているブラウン管に関し、特に、この種ブラウン管を廃棄する際に、大破させずに、安全、かつ、簡単に高真空状態を解除できるようにしたものである。
【背景技術】
【０００２】
周知の通り、この種ブラウン管は、内部が高真空状態に維持されているため、使用後のブラウン管を、例えば、リサイクルのために解体する際には、高真空状態を解除、即ち、ブラウン管の内部に空気を入れる必要がある。この空気入れ作業は、真空爆発や硝子破損などの危険性が潜在し、その作業環境に多大な問題がある。
【０００３】
この対策として、従来では、例えば、ブラウン管の高真空状態を解除するに際に用いる分解装置として、ブラウン管のネックチップ部を破砕するためのペンチ部と、ブラウン管のネック部を保持するためのネック保持部と、ブラウン管のコーン部およびパネル部を覆うための飛散防止カバーとを具備するようにしたものが提案されている(例えば、特許文献１参照）。
【０００４】
また、ブラウン管として、電子銃が納められているネック部に、切断して解体されるときに用いられる切断用目印となるネック部切断線を設けるようにしたものがある(例えば、特許文献２参照）。
【特許文献１】特開平５−１６６４６４号公報
【特許文献２】特開２００１−２３５２８号公報
【発明の開示】
【発明が解決しようとする課題】
【０００５】
しかし、前述の特許文献１記載の構成では、ブラウン管の高真空状態を解除するためにのみに用いられる特別な分解装置が必要であり、手軽に高真空状態を解除することができないといった問題があった。また、特許文献２記載の構成では、ブラウン管の高真空状態を解除する時には、ネック部切断線の近くを切断鋸で切断する必要があり、やはり大掛かりな切断鋸が必要で、手軽に高真空状態を解除することができないといった問題があった。
【０００６】
本発明は、上述した問題を解決するためになされたものであり、安全、かつ、簡単に高真空状態を解除することができるブラウン管を提供することを目的とする。
【課題を解決するための手段】
【０００７】
かかる目的を達成するため、本発明では、画像を表示する前面パネルと、この前面パネルの後ろに形成されたコーン状のファンネルと、このファンネルの終端部に連接して形成され、内部に電子銃が納められたネック部とを備え、内部を高真空状態に維持してなるブラウン管において、ファンネルは、その一部に外部に突出し、高真空状態を解除する際に切断される突起部を更に備えている。
【０００８】
この構成によれば、ブラウン管の高真空状態を解除する際には、ファンネルの一部に外部に突出した突起部が形成されているので、この突起部を、通常、解体処理場などにあるペンチやニッパーや金槌などにより、切断すれば、安全、かつ、簡単にブラウン管の内部に空気を入れることができる。従って、従来のように、特別な解体装置は、必要でなく、作業性の点でも効率化を図ることができる。
【０００９】
また、本発明においては、画像を表示する前面パネルと、この前面パネルの後ろに形成されたコーン状のファンネルと、このファンネルの終端部に連接して形成され、内部に電子銃が納められたネック部とを備え、内部を高真空状態に維持してなるブラウン管において、ファンネルは、その一部に外部に突出する突起部を更に備え、当該突起部は、高真空状態を解除する際に切断され、この切断により大気と連通する小孔が形成されるように構成する。
【００１０】
この構成によれば、ブラウン管の高真空状態を解除する際には、ファンネルの一部に外部に突出した突起部が形成されている。この突起部を、通常、解体処理場などにあるペンチやニッパーや金槌などにより、切断すれば、ファンネルに大気と連通する小孔が形成されるので、安全、かつ、簡単にブラウン管の内部に空気を入れることができる。従って、従来のように、特別な解体装置は、必要でなく、作業性の点でも効率化を図ることができる。
【００１１】
また、本発明においては、突起部には、切断時の目印となるくびれ状の小径部分を形成する。この構成によれば、切断時の目印となるくびれ状の小径部分が形成されているので、解体作業が行い易い。また、くびれ状の小径部分は、切断しやすく、作業性を向上させることができ、都合がよい。
【００１２】
また、本発明においては、突起部は、その内側に空隙を更に有し、当該空隙は、高真空状態に維持された内部に連通するように形成する。この構成によれば、突起部の少なくとも一部が破断されれば、空隙を介して、ブラウン管の内部に空気が入るので、より簡単に、高真空状態を解除することができ、都合がよい。
【００１３】
更に、本発明においては、ファンネルの突起部の近傍には、表示部を更に備え、当該表示部には、高真空状態を解除する際に突起部を切断する旨、表示する。この構成によれば、高真空状態を解除する際、ファンネルの突起部の近傍の表示部に解体要領が表示されているので、解体作業を行う作業者は、迷うことなく、突起部を切断することができ、都合がよい。
【発明の効果】
【００１４】
本発明によれば、簡単な構成により、安全、かつ、簡単にブラウン管の内部の高真空状態を解除することができるブラウン管を得ることができる。
【発明を実施するための最良の形態】
【００１５】
（第１実施形態）
以下、本発明の一実施形態を図１乃至図３に基づいて説明する。図１は、本発明の一実施形態に係るブラウン管の概略構成を示す側面図、図２は、図１に示すブラウン管の要部を示す要部拡大断面図である。図３は、図２に示す突起部を切断した状態を示す要部拡大断面図である。
【００１６】
図１に示すように、例えば、ブラウン管１は、画像を表示する前面パネル２と、この前面パネル２の後ろに形成されたコーン状のファンネル３と、このファンネル３の終端部に連接して形成され、内部に電子銃４１が納められたネック部４と、ファンネル３の終端部に設けられた偏向コイル４２と、ネック部４の端部に設けられた口金４３およびこの口金４３を介して外部に突出した電極としての複数のネックピン４４を備え、内部１１が高真空状態に維持されている。また、図示しないが、前面パネル２の内側には、３色蛍光膜およびこの３色蛍光膜の内側にシャドウマスクなどが配置されている。
【００１７】
而して、本発明に従い、図１および図２に示すように、ファンネル３は、その一部に外部に突出する突起部５が形成されている。この突起部５は、ブラウン管１の高真空状態を解除する際に切断されるものであり、この突起部５を切断することにより、ブラウン管１の内部１１と大気と連通する小孔５１（図３参照）が形成されるように構成されている。
【００１８】
この突起部５は、硝子製のファンネル３を製作する際の金型に、予め突起を形成し、ファンネル３と、突起部５とを、一体的に形成すればよい。突起部５の大きさは、ファンネル３の厚みなどにもよるが、一般的に、直径が３ｍｍ〜８ｍｍ、高さが５ｍｍ〜１５ｍｍ程度とし、切断時に形成される小孔５１の直径が１ｍｍ〜５ｍｍとなるように選定するのがよい。このように小孔５１の直径Ｔ１が１ｍｍ〜５ｍｍとすると、ブラウン管１を大破させずに、安全にブラウン管１の内部１１に空気を入れることができる。即ち、この小孔５１の直径Ｔ１が１ｍｍ未満では、ブラウン管１の内部１１が大気圧になるのに時間がかかり、作業効率が悪い。また、小孔５１の直径Ｔ１が５ｍｍ越えると、一度にブラウン管１の内部１１に空気が入り、真空爆発や硝子破損などの危惧があり、好ましくない。
【００１９】
また、突起部５の近傍には、表示部６を設け、この表示部６には、例えば、「高真空状態を解除する際には、突起部５を切断する。」旨など、解体要領を表示する。この表示は、ファンネル３を製作する金型の内面に、予め、刻印しておくなどして明記する。或いは、ファンネル３に、別途製作した注意書きを貼り付ければよい。
【００２０】
以上の構成による本実施形態によるブラウン管１では、使用後に廃棄処分され、例えば、ブラウン管１を、リサイクルのために解体する際には、ファンネル３に設けれた、突起部５を、通常、解体処理場などにあるペンチやニッパーや金槌などにより、図３に示すように切断する。この切断により、ファンネル３の突起部５があった部分に、小孔５１ができ、この小孔５１を介してブラウン管１の内部１１に空気が入り、ブラウン管１の内部１１の高真空状態が安全に解除される。
【００２１】
以上の構成による本実施形態によれば、ブラウン管１の高真空状態を解除する際には、ファンネル３の一部に外部に突出した突起部５が形成されているので、この突起部５を、通常、解体処理場などにあるペンチやニッパーや金槌などにより、切断する。この切断により、ファンネル３に大気と連通する小孔５１が形成されるので、安全、かつ、簡単にブラウン管１の内部１１に空気を入れることができる。従って、従来のように、特別な解体装置は、必要でなく、作業性の点でも効率化を図ることができる。
【００２２】
また、本実施形態によれば、高真空状態を解除する際、ファンネル３の突起部５の近傍の表示部６に解体要領が表示されているので、解体作業を行う作業者は、迷うことなく、突起部５を切断することができ、都合がよい。
【００２３】
（第２実施形態）
次に、本発明の第２実施形態について図４を参照しながら説明する。図４は、本発明の第２実施形態に係るブラウン管の要部を示す要部拡大断面図である。なお、図４において、上述した図１乃至図３と同じ符号を付した部分は、略同一のものを示すため、ここでは詳細な説明は省略する。以下、上述した第１実施形態との相違点を中心に説明する。
【００２４】
本実施形態では、図４に示すように、突起部５には、切断時の目印となるくびれ状の小径部分５２を形成するとともに、突起部５に対応する部分のファンネル３の内壁３１に窪み３２を形成し、当該部分の肉厚が薄くなるように形成する。そして、この窪み３２の直径Ｔ２を、上述した第１実施形態における切断時に形成される小孔５１に相当する大きさ（Ｔ１）に設定する。
【００２５】
以上の構成による本実施形態よれば、上述した第１実施形態と同様の作用効果を奏する他、この構成によれば、切断時の目印となるくびれ状の小径部分５２が形成されているので、解体作業が行い易い。また、くびれ状の小径部分５２は、切断しやすく、作業性を向上させることができ、都合がよい。
【００２６】
更に、本実施形態よれば、突起部５に対応する部分のファンネル３の内壁３１に、切断時に形成される小孔５１に相当する大きさの窪み３１が形成され、当該部分の肉厚が薄くなっている。従って、突起部５を切断した際に、殊更、大きな孔が開くことがなく、都合がよい。
【００２７】
（第３実施形態）
次に、本発明の第３実施形態について図５を参照しながら説明する。図５は、本発明の第３実施形態に係るブラウン管の要部を示す要部拡大断面図である。なお、図５において、上述した図１乃至図４と同じ符号を付した部分は、略同一のものを示すため、ここでは詳細な説明は省略する。以下、上述した第１実施形態および第２実施形態との相違点を中心に説明する。
【００２８】
本実施形態では、図５に示すように、突起部５は、その内側に空隙５３が形成されている。この空隙５３は、高真空状態に維持されたブラウン管１の内部１１に連通するように形成されているとともに、空隙５３の直径Ｔ３は、上述した第１実施形態における切断時に形成される小孔５１に相当する大きさ（Ｔ１）に設定されている。
【００２９】
以上の構成による本実施形態よれば、上述した第１実施形態および第２実施形態と同様の作用効果を奏する他、突起部５の少なくとも一部が破断されれば、空隙５３を介して、ブラウン管１の内部１１に空気が入るので、より簡単に、ブラウン管１の高真空状態を解除することができ、都合がよい。
【００３０】
なお、上述した各実施形態は、本発明の好適な実施例であるが、本発明はこれに限定されるものではなく、本発明の要旨を逸脱しない範囲において、種々変形実施可能である。
【図面の簡単な説明】
【００３１】
【図１】本発明の一実施形態に係るブラウン管の概略構成を示す側面図である。
【図２】図１に示すブラウン管の要部を示す要部拡大断面図である。
【図３】図２に示す突起部を切断した状態を示す要部拡大断面図である。
【図４】本発明の第２実施形態に係るブラウン管の要部を示す要部拡大断面図である。
【図５】本発明の第３実施形態に係るブラウン管の要部を示す要部拡大断面図である。
【符号の説明】
【００３２】
１      ブラウン管
１１    内壁
２      前面パネル
３      ファンネル
３１    内壁
３２    窪み
４      ネック部
４１    電子銃
５      突起部
５１    小孔
５２    小径部分
５３    空隙
６      表示部
【図１】
2008270068.tif 000003
【図２】
2008270068.tif 000004
【図３】
2008270068.tif 000005
【図４】
2008270068.tif 000006
【図５】
2008270068.tif 000007